(57)【要約】【課題】花粉、ホコリ等の浮遊物のみならず、ＰＭ２．５をも効果的に遮断するマスクを提供する。【解決手段】ＰＭ２．５を通過させない多数の管状孔を有する多孔性繭糸よりなる繭殻を爆砕して絹綿となし、該絹綿をマスク構成材料に加えてなることを特徴とするマスク。前記多孔性繭糸は、ヤママユガ科に属する絹糸昆虫の繭糸である。前記絹綿をマスク構成材料に加えるために、該絹綿をマスク構成材料間に挟着させる。前記絹綿をマスク構成材料に加えるために、該絹綿をマスク構成材料の原料中に混入させる。【選択図】図１
2014176541.tif 000002
【特許請求の範囲】
【請求項１】
ＰＭ２．５を通過させない多数の管状孔を有する多孔性繭糸よりなる繭殻を爆砕して絹綿となし、該絹綿をマスク構成材料に加えてなることを特徴とするマスク。
【請求項２】
前記多孔性繭糸は、ヤママユガ科に属する絹糸昆虫の繭糸であることを特徴とする請求項１に記載のマスク。
【請求項３】
前記絹綿をマスク構成材料に加えるために、該絹綿をマスク構成材料間に挟着させたことを特徴とする請求項１又は２に記載のマスク。
【請求項４】
前記絹綿をマスク構成材料に加えるために、該絹綿をマスク構成材料の原料中に混入させたことを特徴とする請求項１又は２に記載のマスク。
【発明の詳細な説明】
【技術分野】
【０００１】
本発明は、人の鼻、口等を覆うマスクに関するものであり、特に、花粉、ホコリ等の浮遊物のみならず、ＰＭ２．５をも効果的に遮断するマスクに係るものである。
【背景技術】
【０００２】
最近、ＰＭ２．５と呼ばれる微小粒子状物質による健康への影響が懸念されている。ＰＭ２．５は、大気中に浮遊する微粒子のうち、粒径が２．５μｍ以下のものをいう。ＰＭ２．５には、物の燃焼等により直接排出される一次生成粒子と、大気中における化学反応により生成される二次生成粒子とがあるが、そのいずれも、喘息、気管支炎等の呼吸器系疾患、循環器系疾患等のリスクを増大させるものと考えられる。
【０００３】
花粉、ホコリ等の浮遊物を遮断するようにしたマスクとしては、例えば特開２００９−１０６４６８号公報に示すように、不織布を使用してなるマスク（以下「従来のマスク」という。）が知られている。
【先行技術文献】
【特許文献】
【０００４】
【特許文献１】特開２００９−１０６４６８号公報
【発明の概要】
【発明が解決しようとする課題】
【０００５】
しかるに、不織布を使用してなる上記従来のマスクは、花粉、ホコリ等の浮遊物を遮断することができるものの、ＰＭ２．５を遮断することができないという問題がある。
【０００６】
本発明は、上記従来のマスクにおける上述の如き問題を解決し、花粉、ホコリ等の浮遊物のみならず、ＰＭ２．５をも効果的に遮断するマスクを提供しようとしてなされたものである。  
【課題を解決するための手段】
【０００７】
上記課題を解決するために、本発明は下記のマスクを提供する。
【０００８】
（１）ＰＭ２．５を通過させない多数の管状孔を有する多孔性繭糸よりなる繭殻を爆砕して絹綿となし、該絹綿をマスク構成材料に加えてなることを特徴とするマスク（請求項１）。
【０００９】
（２）前記多孔性繭糸は、ヤママユガ科に属する絹糸昆虫の繭糸である（請求項２）。
【００１０】
（３）前記絹綿をマスク構成材料に加えるために、該絹綿をマスク構成材料間に挟着させる（請求項３）。
【００１１】
（４）前記絹綿をマスク構成材料に加えるために、該絹綿をマスク構成材料の原料中に混入させる（請求項４）。
【発明の効果】
【００１２】
[請求項１の発明]
請求項１の発明によるマスクは、ＰＭ２．５を通過させない多数の管状孔を有する多孔性繭糸よりなる繭殻を爆砕して絹綿となし、該絹綿をマスク構成材料に加えてなるものであるため、花粉、ホコリ等の浮遊物のみならず、ＰＭ２．５をも効果的に遮断することができる。
【００１３】
したがって、大気がＰＭ２．５に汚染されている環境下においても、このマスクを着用することにより、ＰＭ２．５に起因する喘息、気管支炎等の呼吸器系疾患、循環器系疾患等のリスクの増大を防止することができる。
【００１４】
[請求項２の発明]
前記多孔性繭糸がヤママユガ科に属する絹糸昆虫の繭糸であるときに、前記効果が最も好ましく発揮される。
【００１５】
[請求項３の発明]
請求項３の発明によるマスクは、前記絹綿をマスク構成材料に加えるために、該絹綿をマスク構成材料間に挟着させるようにしたため、該マスクは、上記請求項１の発明と同様の効果を発揮するのみならず、製造が容易である。
【００１６】
[請求項４の発明]
請求項４の発明によるマスクは、前記絹綿をマスク構成材料に加えるために、該絹綿をマスク構成材料の原料中に混入させるようにしたため、上記請求項１の発明と同様の効果を発揮するのみならず、該マスクは、製造が一層容易である。
【図面の簡単な説明】
【００１７】
【図１】図１は、多孔性繭糸の一例としてのクリキュラ繭糸の断面を示す図面代用写真である。
【図２】図２は、同上繭糸よりなる繭殻を爆砕して得られた絹綿を示す図面代用写真である。
【図３】図３は、繭殻を爆砕して得られた絹綿をマスク構成材料間に挟着させた状態を示す断面図である。
【発明を実施するための形態】
【００１８】
本発明によるマスクは、ＰＭ２．５を通過させない多数の管状孔を有する多孔性繭糸よりなる繭殻を爆砕して絹綿となし、該絹綿をマスク構成材料に加えてなるものである。
【００１９】
ＰＭ２．５を通過させない多数の管状孔を有する多孔性繭糸は、好ましくは、ヤママユガ科に属する絹糸昆虫の繭糸である。該絹糸昆虫の種は、クリキュラ、ヤママユガ、サクサン、エリサン、タサールサン等がある。
【００２０】
繭を作る絹糸昆虫としては、前記ヤママユガ科の他、カイコガ科、カレハガ科、ミノガ科、ギョウレツケムシ科等が知られているが、本発明においては、前記多孔性繭糸を産生する絹糸昆虫は、好ましくは、前記ヤママユガ科に属する絹糸昆虫とする。
【００２１】
該多孔性繭糸の一例としてのクリキュラ繭糸の断面を図１に示す。同図に示すように、該多孔性繭糸は、１本の繭糸内にＰＭ２．５を通過させない多数の管状孔を有する。すなわち、該多孔性繭糸の各管状孔は、粒径が２．５μｍ以下の微小粒子状物質であるＰＭ２．５を通過させない極めて小さな内径を有する。
【００２２】
多孔性繭糸よりなる繭殻を爆砕することにより、該繭殻を直径約０．１μｍ〜０．６μｍの微細なミクロフィブリルに分離、分散させて絹綿を得ることができる。すなわち、繭殻は、上述の如き多孔性構造を備えているため、繭糸の分裂、分離が容易であり、密着したミクロフィブリルも分離、解離が可能である。
【００２３】
因みに、繭糸のフィブロインは、直径約０．１μｍ〜０．６μｍのミクロフィブリルの集合体であり、ミクロフィブリルは、更に微細な直径約１２ｎｍ〜１５ｎｍのフィブロイン原繊維よりなる。
【００２４】
繭殻は爆砕機により爆砕する。爆砕条件は、例えば、１７０℃〜２１０℃の温度、５分〜１０分の時間、約２５気圧の圧力とする。
【００２５】
繭殻を爆砕した後、被爆砕物（爆砕された繭殻）をよく水洗し、乾燥させると、繭糸を構成するミクロフィブリルが分離し、微細な空間を含む絹綿が得られる。
【００２６】
このようにして得られた絹綿をマスク構成材料に加えるに当っては、例えば、該絹綿をマスク構成材料間に挟着させる。すなわち、一例として、図３に示すように、絹綿１を二枚のマスク構成材料３、３間に挟着させる。絹綿１を二枚のマスク構成材料３、３間に挟着させる際には、例えば、該絹綿１を二枚のマスク構成材料３、３間に逢着させる。絹綿１を二枚のマスク構成材料３、３間に逢着させたときには、該絹綿１における繊維間隔は数μｍとなる。なお、絹綿１は、一枚のマスク構成材料３を折り返し、そのマスク構成材料部間に介在させても差し支えない。
【００２７】
マスク構成材料３は、好ましくは不織布とする。該不織布の繊維素材は、例えば、ポリプロピレン繊維、ポリオレフィン繊維、ポリエステル繊維、ポリアミド繊維等とする。
【００２８】
前記絹綿をマスク構成材料に加えるに当っては、例えば、該絹綿をマスク構成材料の原料中に混入させてもよい。すなわち、例えば、マスク構成材料が不織布の場合、該不織布を製造する際に、該不織布の原料である前記繊維素材中に該絹綿を混入させてもよい。この場合、一例として、不織布の原料１００重量部に対し、絹綿３０重量部を使用する。
【００２９】
なお、マスク構成材料に加えられる絹綿は、アトピー性皮膚炎、皮膚の痒み等を緩和する皮膚に優しいものである。また、多孔性繭糸は、紫外線を効果的に遮断する。
【符号の説明】
【００３０】
１  絹綿
３  マスク構成材料
【図３】
2014176541.tif 000003
【図１】
2014176541.tif 000004
【図２】
2014176541.tif 000005